(57)【特許請求の範囲】
【請求項１】
内部に備えられた棚板が、粉炭を含んでボード状に成形された炭ボードからなり、該炭ボードは、下面がシューズボックス内に開放されてシューズボックス内の脱臭を行うようになされていると共に、上面が表皮材でカバーされ、該上面と上面表皮材との間に通気部が形成されていることを特徴とするシューズボックス。
【請求項２】
前記炭ボードに、棚板撓み防止用の補強フレームが設けられ、該補強フレームに、棚板固定用の係合部が設けられている請求項１に記載のシューズボックス。
【請求項３】
前記棚板の上面表皮材はその上面が凹凸面に形成され、履物が凹凸面の凸部で支承されるようになされている請求項１に記載のシューズボックス。
【請求項４】
前記上面表皮材は、その下面が凹凸に成形され、下面の凸部を炭ボードの上面部に当接させるようにして炭ボードの上面部に載置されており、前記通気部は、上面表皮材の下面の凹部の部分によって、上面表皮材と炭ボードとの間に形成されている請求項１に記載のシューズボックス。
【請求項５】
前記凹凸は、前後方向に延びる山条と谷条とが左右方向に繰り返す形態のものからなっていて、通気部内を空気が前後に行き来するようになされている請求項４に記載のシューズボックス。
【請求項６】
前記上面表皮材に、上下方向に貫通する孔が多数、分散状態に設けられ、空気が前後方向のほか上下方向にも行き来するようになされている請求項５に記載のシューズボックス。
【発明の詳細な説明】
【技術分野】
【０００１】
本発明は、脱臭機能を備えたシューズボックスに関する。
【背景技術】
【０００２】
住宅の玄関等に設置されるシューズボックスは、内部に靴等の履物のニオイを閉じ込めてしまいやすいという問題があり、そのため従来より、シューズボックス内の棚板として中空板を用い、該中空板の中空部内にボード状に成形された脱臭材を設置し、該中空板の下面部には通気孔を分散状態に設け、該通気孔を通じて、中空板内の脱臭材にシューズボックス内の脱臭を行わせるようにしたものが提案されている。
【特許文献１】特開２００１−３２７３４１号公報
【発明の開示】
【発明が解決しようとする課題】
【０００３】
しかしながら、上記のシューズボックスでは、中空板に棚板としての強度をもたせる構造のものであり、棚板の限られた厚さ寸法内において中空板に棚板としてのしっかりとした強度をもたせる必要があるため、中空板の下面側を大きく解放することができず、そのため、上記のように通気孔を分散状態に設けた構造にせざるを得ず、中空板内のボード状の脱臭材にシューズボックス内の脱臭を効果的に行わせるのが難しいという問題がある。
【０００４】
本発明は、上記のような従来の問題点に鑑み、限られた厚さ寸法内において棚板にしっかりとした強度をもたせることができ、しかも、シューズボックス内のニオイを効果的に除去することができる、脱臭機能を備えたシューズボックスを提供することを課題とする。
【課題を解決するための手段】
【０００５】
上記の課題は、内部に備えられた棚板が、粉炭を含んでボード状に成形された炭ボードからなり、該炭ボードは、下面がシューズボックス内に開放されてシューズボックス内の脱臭、調湿を行うようになされていると共に、上面が表皮材でカバーされていることを特徴とするシューズボックスによって解決される（第１発明）。
【０００６】
このシューズボックスでは、棚板が、粉炭を含んでボード状に成形された炭ボードからなっていて、炭ボードそのものに棚板としての強度の全部又は一部を担わせる構造となっているので、限られた厚さ寸法内において棚板にしっかりとした強度をもたせることができる。即ち、棚板が炭ボードからなるというのが、その意味である。
【０００７】
しかも、このように炭ボードそのものに棚板としての強度の全部又は一部を担わせる構造としていることで、炭ボードの下面側をシューズボックス内に大きく開放することができて、該炭ボードにシューズボックス内のニオイを効果的に除去させることができる。また、炭の作用で、湿気のこもりやすいシューズボックス内を炭の作用で調湿することができて、カビ等の発生も防ぐことができる。
【０００８】
また、炭ボードの上面は表皮材でカバーされているので、炭ボードと履物とが直接的に接触することがなく、履物が炭で汚されることもない。
【０００９】
第１発明において、炭ボードに、棚板撓み防止用の補強フレームが設けられている場合（第２発明）は、棚板を撓みにくいしっかりとした棚板にすることができ、また、炭ボードそのものが棚板としての強度の一部を担っていることでフレームによる補強も簡素なものにすることができる。
【００１０】
第２発明において、補強フレームに、棚板固定用の係合部が設けられている場合（第３発明）は、炭ボードそのものには形成しにくい棚板固定用の係合部を補強フレームを利用して容易に形成することができる。
【００１１】
第１発明において、棚板の上面表皮材はその上面が凹凸面に形成され、履物が凹凸面の凸部で支承されるようになされている場合（第４発明）は、上段の下面側開放炭ボードから落ちてくることのある炭粉が、下段の棚板の上面表皮材の凹凸面の凹部内に入り込み、履物が該炭粉と接触して炭で汚されてしまうのを防ぐことができる。
【００１２】
第１〜第４発明において、棚板の上面表皮材と炭ボードとの間に通気部が形成されている場合（第５発明）は、シューズボックス内の空気と炭ボードとの接触面積が広く確保され、しかも、上面表皮材の上に置かれた履物によって炭ボードの脱臭作用が減殺されてしまうということもなく、脱臭効果を高いものにすることができる。
【００１３】
第１〜第４発明において、前記棚板の上面表皮材が通気性の膜材からなる場合は、該膜材を通じて炭ボードの上面側も脱臭作用を行うことができ、脱臭効果を高いものにすることができる。
【発明の効果】
【００１４】
本発明は、以上のとおりのものであるから、限られた厚さ寸法内において棚板にしっかりとした強度をもたせることができ、しかも、シューズボックス内のニオイを効果的に除去することができる。
【発明を実施するための最良の形態】
【００１５】
次に、本発明の実施最良形態を図面に基づいて説明する。
【００１６】
図１〜図４に示す第１実施形態のシューズボックス１において、２はシューズボックス本体、３は正面の扉、４，５…は内部の棚板である。
【００１７】
各棚板４，５は、粉炭を含んでボード状に成形された炭ボード６からなっており、該炭ボード６は、例えば、２．５ｍｍ程度のフィルターメッシュを通過することができるサイズの粉炭と、マニラ麻等の補強用の繊維材と、酢酸ビニル等の粘性材とを混練した後、乾燥、焼成、圧延等の工程を経てボード状に成形されたものなどからなり、該炭ボード６は、その下面部がシューズボックス１内に開放されて、シューズボックス１内の脱臭、調湿を行うようになされている。
【００１８】
そして、本実施形態では、炭ボード６の前縁部と後縁部とにそれぞれ、アルミニウム等の金属製、あるいは、樹脂製の溝形材などからなる補強フレーム７，７が、該フレームの溝内に炭ボード６の縁部を嵌め込むようにして、炭ボード６の左右方向のほぼ全長にわたって延びるようにして設けられ、自重や履物等の重量による炭ボード６の撓みが軽減ないしは防止されるようになされている。
【００１９】
上記の棚板４，５…は、その両端部を、シューズボックス本体２の左右の側壁の内面部に植設されたピン８…に支承させることによりシューズボックス１内のおいて所定の高さ位置に設置されるが、ピン８…に支承させただけでは、前後方向に動いてしまうおそれがあるので、位置決めのため、後縁側の補強フレーム７の両端部に、棚板固定用係合部としての係合用舌９，９が垂下状態に設けられ、該係合用舌９，９が後縁側の左右のピン８，８にその背後から係合することで前方へのズレ動きが規制されるようになされている。なお、係合用舌９は、補強フレーム７に板曲げ一体成形により形成されたものであってもよいし、補強フレーム７に取り付けられたものであってもよい。
【００２０】
そして、各棚板４，５…において、炭ボード６の上面部は表皮材１０でカバーされており、最上段の棚板４の上面表皮材１０は、アクリル板等の透明プレートからなり、該プレートを通じて炭ボード６を目視することができるようになされている。
【００２１】
また、残る棚板５…の上面表皮材１０は、その上面を凹凸に成形したアクリル等の樹脂成形板からなっていて、履物１１が該凹凸の凸部１２…で支承されるようになされており、本実施形態では、前後方向に延びる山条１２…と谷条１３…とが左右方向に繰り返す凹凸に形成されている。
【００２２】
上記のシューズボックス１では、棚板４，５…が、いわゆる炭ボードからなっていて、炭ボード６そのものに棚板としての強度の一部を担わせる構造とされているので、限られた厚さ寸法内において棚板４，５…にしっかりとした強度をもたせることができる。
【００２３】
しかも、このように炭ボード６…そのものに棚板としての強度の一部を担わせる構造としたことで、炭ボード６…の下面側をシューズボックス１内に大きく開放することができて、該炭ボード６…にシューズボックス１内のニオイを効果的に除去させることができるし、調湿、ホルムアルデヒド等の有害化学物質の除去作用なども効果的に行われる。
【００２４】
特に、本実施形態では、炭ボード６の前縁部と後縁部とにそれぞれ、補強フレーム７，７が設けられて補強されているので、棚板４，５…を撓みにくいしっかりとした棚板にすることができ、また、炭ボード６そのものが棚板としての強度の一部を担っていることでフレーム７，７による補強も簡素なものにすることができる。
【００２５】
加えて、棚板４，５…に補強フレーム７を組み込む構造としたことにより、炭ボードそのものには形成しずらい棚板固定用の係合用舌９を、補強フレーム７を利用して棚板４，５に容易に備えさせることができる。
【００２６】
また、炭ボード６…の上面が表皮材１０でカバーされていることにより、炭ボード６と履物１１とが直接的に接触することがなく、履物１１が炭で汚されることもない。
【００２７】
特に、本実施形態では、最上段の棚板４を除く、下段側の各棚板５…の上面表皮材１０の上面が凹凸面に形成され、履物１１が凹凸面の凸部１２…で支承されるようになされているので、上段の下面側開放炭ボードから落ちてくることのある炭粉が、下段の棚板５…の上面表皮材１０の凹凸面の凹部１３…内に入り込み、履物１１が該炭粉と接触して炭で汚されてしまうのを防ぐことができる。
【００２８】
とりわけ、本実施形態では、前後方向に延びる山条１２と谷条１３とが左右方向に繰り返す形状のものを凹凸としているので、凹部１３…内に入り込んだ粉炭や砂などをシューズボックス１の手前側に容易に掃き出すことができて掃除を容易にすることができると共に、棚板５…に対する履物１１の出し入れを抵抗の少ないスムーズなものにすることができる。また、上面表皮材１０として上記のような無孔のプレートを用いることで、濡れた靴を置いて炭ボード６に悪影響が出ることもない。
【００２９】
図５に示す第２実施形態は、棚板４，５…の上面表皮材１０として、下面が凹凸に成形されたアクリル等の樹脂成形板が用いられ、該上面表皮材１０は、その下面の凸部１４…を炭ボード６の上面部に当接させるようにして炭ボード６の上に載置され、上面表皮材１０の下面の凹部１５…の部分によって上面表皮材１０と炭ボード６との間に通気部１６…が形成されている。本実施形態では、この凹凸として、前後方向に延びる山条１４…と谷条１５…とが左右方向に繰り返す形態が採用されていて、通気部１６内を空気が前後に往き来するようになされていている。
【００３０】
これにより、炭ボード６とシューズボックス１内の空気との接触面積が大きく確保され、高い脱臭効果が奏される。特に、上記のような通気部１６…の形成により、上面表皮材１０の上に置かれた履物１１によって炭ボード６の脱臭作用が減殺されるということもなく、脱臭効果を高いものにすることができる。
【００３１】
しかも、左右方向に繰り返す山条１４…の各先端部が炭ボード６の上面に当接して上面表皮材１０が炭ボード６に支承されているので、即ち、凹凸の凸部１４…が上面表皮材１０の下面側に分散状態に備えられているので、炭ボード６と上面表皮材１０との間に通気部１６…が備えられているものでありながら、上面表皮材１０が炭ボード６上に力学的に安定良く支承され、上面表皮材１０が、撓んだり、破損したりするのを有効的に防ぐことができる。その他は、第１実施形態と同様である。
【００３２】
なお、上下方向のすべての棚板４，５…をこのような通気部１６を備えた棚板としてもよいし、一部の棚板をこのような通気部１６を備えた棚板としてもよい。また、本実施形態では、上面表皮材１０の上面を平滑面としているが、第１実施形態の場合と同様に、上面表皮材１０の上面を凹凸面とするようにしてもよい。
【００３３】
図６（イ）に示す第３実施形態は、第２実施形態において、上面表皮材１０に上下方向に貫通する孔１７…が多数分散状態に設けられたものであり、空気が前後方向のみならず上下方向にも往き来し、高い脱臭効果が奏される。
【００３４】
図６（ロ）に示す第４実施形態は、上面表皮材として、和紙、不織布等の通気性の膜材１０が用いられ、これが、炭ボード６の上面に貼られている。これにより、棚板５の上に置いた履物が炭ボード６で黒く汚されてしまうのが防がれ、また、炭ボード６の上面部が該膜材１０を通じてシューズボックス１内の空気と接触することができて高い脱臭効果が奏される。なお、濡れた靴を置いて炭ボード６に悪影響が出ないよう、膜材１０が和紙や不織布などである場合には、撥水加工を施しておくとよい。
【００３５】
以上に、本発明の実施形態を示したが、本発明はこれに限られるものではなく、発明思想を逸脱しない範囲で各種の変更が可能である。例えば、上記の実施形態では、炭ボード６を補強するためフレーム７，７を用いた場合を示したが、補強フレーム無しの棚板に構成されてもよい。
【００３６】
また、上面表皮材の上面を凹凸面にする場合の凹凸の具体的形態や、上面表皮材の下面を凹凸面にする場合の凹凸の具体的形態に制限はなく、各種形態の凹凸に形成されてもよい。また、通気部１６は、炭ボード６の上面を凹凸にすることで形成されていてもよいし、炭ボード６の上面を凹凸にすると共に、上面表皮材１０の下面を凹凸にすることで形成されていてもよい。また、上面表皮材の上面の凹凸や、通気部のための凹凸は、省略されてもよい。
【００３７】
また、炭ボードについても、制限はなく、粉炭を含んでボード状に成形されているものであればよく、炭ボードそのものに棚板としての強度の全部又は一部を担わせる構造となって備えられるものであればよい。
【００３８】
また、上面表皮材の材質についても制限はなく、樹脂や和紙、不織布のほか、金属などからなっていてもよい。
【００３９】
更に、上記の実施形態では、シューズボックスの棚板に炭ボードを用いた場合を示したが、棚板のほか、シューズボックスの本体２や、扉３を炭ボードで形成するようにしてもよい。
【図面の簡単な説明】
【００４０】
【図１】第１実施形態のシューズボックスを示すもので、図（イ）は要部拡大断面側面図、図（ロ）は同要部拡大断面正面図である。
【図２】図（イ）は最上段の棚板の分解斜視図、図（ロ）は残る下段の棚板の分解斜視図である。
【図３】同シューズボックスの全体断面正面図である。
【図４】図３のＩ−Ｉ線断面図である。
【図５】第２実施形態を示すもので、図（イ）は棚板の分解斜視図、図（ロ）は断面正面図、図（ハ）は断面側面図である。
【図６】図（イ）は第３実施形態を示すもので、棚板の断面側面図、図（ロ）は第４実施形態を示すもので、棚板の断面側面図である。
【符号の説明】
【００４１】
１…シューズボックス
４…棚板
５…棚板
６…炭ボード
７…補強フレーム
９…係合用舌（固定用係合部）
１０…上面表皮材
１２…凸部
１３…凹部
１４…凸部
１５…凹部
１６…通気部
【図１】
0004833595.tif 000002
【図２】
0004833595.tif 000003
【図３】
0004833595.tif 000004
【図４】
0004833595.tif 000005
【図５】
0004833595.tif 000006
【図６】
0004833595.tif 000007